(57)【要約】      （修正有）【課題】外部圧力により被係止物が転倒又は落下しにくい構造であり、係止具を取り付け後においても位置調整が可能となる壁面係止具を提供する。【解決手段】スナップボタンを用いた壁面係止具であって、壁面に固定する保持具ａ４と被係止物に取り付ける保持具ｂ２からなり、凸型スナップボタンが取り付けられ針又は粘着剤又は針及び粘着剤により壁面に固定する保持具ａ４と厚さ１ｍｍ乃至５ｍｍのクロロプレンゴムに凹型スナップボタンが取り付けられた保持具ｂ２から構成される。保持具ｂ２を被係止具１に巻き付けて取り付ける。【選択図】図１
0003232664.tif 000002
【実用新案登録請求の範囲】
【請求項１】
スナップボタンを用いた壁面係止具であって、壁面に固定する保持具ａと被係止物に取り付ける保持具ｂからなり、凸型スナップボタンが取り付けられ針又は粘着剤又は針及び粘着剤により壁面に固定する保持具ａと厚さ１ｍｍ乃至５ｍｍのクロロプレンゴムに凹型スナップボタンが取り付けられた保持具ｂから構成される壁面係止具。
【請求項２】
前記保持具ｂにおいて、被係止物に巻き付けて取り付ける構造の壁面係止具。
【考案の詳細な説明】
【技術分野】
【０００１】  この発明は主に長尺物を壁面に係止するための器具に関するものである。
【背景技術】
【０００２】  従来、壁面に固定して使用する係止具のうち、頻繁に係止、取り外しを繰り返す場合は、鈎状の係止具を用いるのが一般的である。しかし、鈎状の係止具は壁面からの突起部が必要であり、その突起部が壁面の景観を損ねることがあり、また場合によっては衣服などが引っかかってしまうという欠点を有している。【０００３】  この問題を解決する方法の１例として特許文献１に開示された長尺物掛止具が挙げられる。これはスナップボタンを用いる係止具で壁に固定して用いる保持具ａと被係止物に固定して用いる保持具ｂからなる係止具である。
【先行技術文献】
【０００４】
【特許文献１】特開２０１９−０５８６２７
【考案の概要】
【考案が解決しようとする課題】
【０００５】  しかし、特許文献１に示した従来例では、被係止物に固定する保持具ｂの構造がシート状の台座と記載されているが、具体的にどのような素材が適しているか明記されていない。例えば保持具ｂの台座が伸縮性のない素材で構成されている場合、被係止物に意図しない外部圧力が加わった際に外部圧力が直接スナップボタンに伝わるため、被係止物が転倒又は落下しやすくなってしまう。【０００６】  また、特許文献１に示した従来例では、保持具ｂの被係止物への取付方法が明確に示されておらず、１例として保持具ｂを両面テープにより被係止物に取り付ける使用方法が示されている。しかしこの場合、保持具ａと保持具ｂをそれぞれ取り付けた後には位置調整ができない構造であり、取り付け時に位置調整を間違えてしまうと、使用できなくなってしまうという欠点がある。【０００７】  そこで、本考案において、０００５段落及び０００６段落に記載の欠点を解消すべく、意図しない外部圧力により被係止物が転倒又は落下しにくい構造であり、保持具を取り付け後においても位置調整が可能となる壁面係止具を提供する。
【課題を解決するための手段】
【０００８】  第１の課題解決手段に係る壁面係止具は、スナップボタンを用いた壁面係止具であって、壁面に固定する保持具ａと被係止物に取り付ける保持具ｂからなり、凸型スナップボタンが取り付けられ針又は粘着剤又は針及び粘着剤により壁面に固定する保持具ａと厚さ１ｍｍ乃至５ｍｍのクロロプレンゴムに凹型スナップボタンが取り付けられた保持具ｂから構成される壁面係止具（第１発明）である。【０００９】  第１発明に記載の壁面係止具の保持具ｂは、意図しない外部圧力を吸収すべく適当な伸縮性を有する部材で構成されているため、外部圧力が直接スナップボタンに到達することはなく、被係止物の転倒又は落下の危険性を低下させることが出来る。ここで、伸縮性が大きすぎると、被係止物を係止している状態で保持具ｂが伸びきってしまい、外部圧力の吸収性が低下してしまう。逆に伸縮性が小さすぎると外部圧力は十分吸収されず多くが直接スナップボタンに到達してしまう。更に、保持具ｂは伸縮性だけが適当であればいいというものではなく、装飾性も要求され、以上の条件を満たす保持具ｂの材質として厚さ１ｍｍ乃至５ｍｍのクロロプレンゴムが選定されるものである。【００１０】  第２の課題解決手段に係る壁面係止具は、第１発明に記載の保持具ｂにおいて、被係止物に巻き付けて取り付ける構造の壁面係止具（第２発明）である。【００１１】  保持具ｂが伸縮性を有している場合、保持具ｂを被係止物に巻き付けることで、締め付け効果から保持具ｂを被係止物に固定することが出来る。ここで、保持具ｂを随時取り付け取り外し可能な構造とすることにより何度でも位置調整をすることが可能となる。
【考案の効果】
【００１２】  第１の効果に、本発明品の保持具ｂに厚さ１ｍｍ乃至５ｍｍのクロロプレンゴムを用いることにより、適当な伸縮性を有するとともにウェットスーツ素材として用いられるクロロプレンゴムを用いることで装飾性、汎用性、実用性を兼ね備えた壁面係止具を実現することが可能となる。【００１３】  第２の効果に、本発明品の保持具ｂを被係止物に巻き付けて取り付ける構造とすることにより、何度でも位置調整が可能となる。
【図面の簡単な説明】
【００１４】
【図１】請求項１及び請求項２に係る壁面係止具の説明図を示す。
【図２】請求項１及び請求項２に係る壁面係止具の説明図を示す。
【図３】請求項１及び請求項２に係る壁面係止具の説明図を示す。
【考案を実施するための形態】
【００１５】  図１乃至図３を用いて本発明品の１形態を示す。
図１乃至図３は請求項１及び請求項２に係る壁面係止具の説明図である。長尺物である被係止具（１）に保持具ｂ（２）が取り付けられ、石膏ボード製壁面（３）に凸型スナップボタンからなる保持具ａ（４）がとりつけられており、保持具ａ（４）の凸型スナップボタンと保持具ｂ（２）の凹型スナップボタン（５）を留めることで被係止具（１）を壁面（３）に係止することが出来る。図２Ａは被係止具（１）に外部圧力が加わっていない場合であり、図２Ｂは被係止具（１）に外部圧力が加わった場合を表している。保持具ｂ（２）は適当な伸縮性を有するため、外部圧力が加わった場合、保持具ｂ（２）が伸びることにより外部圧力を吸収しスナップボタンが外れて被係止具（１）が転倒することを防止することが出来る。
【００１６】  保持具ｂ（２）に面ファスナーテープ（６）が取り付けられている。面ファスナーテープ（６）により保持具ｂ（２）を被係止具（１）に巻き付けて取り付ける構造で必要に応じて随時取り外し可能である。
【符号の説明】
【００１６】１  被係止具
２  保持具ｂ
３  石膏ボード製壁面
４  保持具ａ
５  凹型スナップボタン
６  面ファスナーテープ
【図１】
0003232664.tif 000003
【図２】
0003232664.tif 000004
【手続補正書】
【提出日】令和3年3月8日(2021.3.8)
【手続補正１】
【補正対象書類名】実用新案登録請求の範囲
【補正対象項目名】請求項２
【補正方法】変更
【補正の内容】
【請求項２】
前記保持具ｂにおいて、被係止物に巻き付けて取り付ける構造を有する請求項１に記載の壁面係止具
【手続補正２】
【補正対象書類名】明細書
【補正対象項目名】００１４
【補正方法】変更
【補正の内容】
【００１４】
【図１】請求項１及び請求項２に係る壁面係止具の説明図を示す。
【図２】請求項１及び請求項２に係る壁面係止具の説明図を示す。